(57)【要約】【課題】至極簡素な構成で、便座の便器に対する起立位置の保持と便座の便器に対する回動時の制動確保の両立が可能な便座のダンパー装置を提供すること。【解決手段】便器と一体的に設けられ且つ半径外方向に突出する外向き突起部及び前記外向き突起部に隣接して円周方向に径が徐変する作用面が形成されたカム部材を便座に固定されたゴムその他弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにしてなる、便座のダンパー装置を構成した。【選択図】      図２
2004173971.tif 000002
【特許請求の範囲】
【請求項１】
便器と一体的に設けられ且つ半径外方向に突出する外向き突起部及び前記外向き突起部に隣接して円周方向に径が徐変する作用面が形成されたカム部材を便座に固定された弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにしてなる、便座のダンパー装置。
【請求項２】
便器と一体的に設けられ且つ半径外方向に突出する外向き突起部及び前記外向き突起部に隣接して円周方向に径が徐変する作用面が形成されたカム部材を便蓋に固定された弾性体のボス部材の孔部内に回動可能に嵌着し、前記孔部の内周面に突設した内向き突起部が前記外向き突起部と係合することにより前記便蓋の前記便器に対する起立位置を保持せしめ、前記係合解除方向に付勢することにより前記便蓋を前記便器側に傾倒させたとき、前記内向き突起部が回動する前記作用面と摺接することによりブレーキ作用をなすようにしてなる、便蓋のダンパー装置。
【請求項３】
便器と一体的に設けられ且つ半径外方向に突出する外向き突起部及び前記外向き突起部に隣接して円周方向に径が徐変する作用面が形成されたカム部材を、便座に固定された弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにすると共に、便蓋に前記ボス部材と同様のボス部材を固定して前記カム部材に対して前記ブレーキ作用と同様の作用を惹起せしめるようにしてなる、便座・便蓋のダンパー装置。
【発明の詳細な説明】
【０００１】
【発明の属する技術分野】
本発明は、ダンパー装置に関し、特に便座、便蓋並びに便座・便蓋のダンパー装置に関する。
【０００２】
【従来の技術】
周知のように、起立位置にある便座を使用位置に変移せんとするとき、便座が便器に衝突して騒音が発生したりしないように、当該変移を穏やかに行うためのダンパー装置が、従来から提供されている。しかして、ダンパー装置は、便座と一体的に設けられたカム部材の断面をオムスビ型とし、その３つの頂点部をボス部材の孔に摺動回動可能に嵌着し、便座の便器に対する起立位置の保持と便座の便器に対する回動時の制動を図っている（例えば、特許文献１参照）。
【０００３】
【特許文献１】
特開２００１−３７６７８号公報  （第１〜６頁、図１〜８）
【０００４】
【発明が解決しようとする課題】
ところが、便座の便器に対する起立位置の保持と便座の便器に対する回動時の制動確保の両立を実現しようとする場合、カム部材の３つの頂点部と摺接するボス部材の孔の内周面を特別の形状に形成せねばならない。しかるに、精度管理を考慮した場合、３つの頂点部を有するカム部材と３つの頂点部と摺接する内周の孔を有するボス部材とを相性良くさせるのは至難であって、かような構成を備えたダンパー装置の製作は、事実上、出来ない。
【０００５】
それゆえ、本発明は、至極簡素な構成で、便座の便器に対する起立位置の保持と便座（便蓋）の便器に対する回動時の制動確保の両立が可能な便座（便蓋）のダンパー装置を提供することを、その技術的課題とする。
【０００６】
【課題を解決するための手段】
上記した課題を解決するために講じた第１の技術的手段は、
「便器と一体的に設けられ且つ半径外方向に突出する外向き突起部及び前記外向き突起部に隣接して円周方向に径が徐変する作用面が形成されたカム部材を便座に固定された弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにしてなる、便座のダンパー装置。」
を構成したことである。
【０００７】
上記した課題を解決するために講じた第２の技術的手段は、
「便器と一体的に設けられ且つ半径外方向に突出する外向き突起部及び前記外向き突起部に隣接して円周方向に径が徐変する作用面が形成されたカム部材を便蓋に固定された弾性体のボス部材の孔部内に回動可能に嵌着し、前記孔部の内周面に突設した内向き突起部が前記外向き突起部と係合することにより前記便蓋の前記便器に対する起立位置を保持せしめ、前記係合解除方向に付勢することにより前記便蓋を前記便器側に傾倒させたとき、前記内向き突起部が回動する前記作用面と摺接することによりブレーキ作用をなすようにしてなる、便蓋のダンパー装置」
を構成したことである。
【０００８】
上記した課題を解決するために講じた第３の技術的手段は、
「便器と一体的に設けられ且つ半径外方向に突出する外向き突起部及び前記外向き突起部に隣接して円周方向に径が徐変する作用面が形成されたカム部材を、便座に固定された弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにすると共に、便蓋に前記ボス部材と同様のボス部材を固定して前記カム部材に対して前記ブレーキ作用と同様の作用を惹起せしめるようにしてなる、便座・便蓋のダンパー装置」
を構成したことである。
【０００９】
【発明の実施の形態】
図１〜図３に依拠して、本発明にかかる温水洗浄便座装置の一実施形態について説明する。
【００１０】
便器１０の後部上面には、ケース１２が固定されている。このケース１２の便器幅方向の両端部には、夫々、第１シャフト７０（一方のみ図示）がネジ９０で固定されており、この第１シャフト７０は外方向に突出している。また、各第１シャフト７０の遊端部には、更に第２シャフト８０が嵌着・固定されている。
【００１１】
便座１４の後部両端に形成された耳部１４Ａは、第１ダンパー装置Ｄ１を介して、第１シャフト７０上に相対回動可能に装着されている。また、便座１４の後部全体は、便蓋５０の後部両端に形成された耳部５０Ａの内側に位置しており、便蓋５０の耳部５０Ａは、第２ダンパー装置Ｄ２を介して、第２シャフト８０上に相対回動可能に装着されている。第１ダンパー装置Ｄ１（第２ダンパー装置Ｄ２）は、便器１０に対して相対回動する便座１４（便蓋５０）が、便器１０（便座１４）上に着座するときに、衝撃や騒音が惹起しないように設けられたものである。
【００１２】
第１ダンパー装置Ｄ１について詳説する。
【００１３】
図２及び図３に明瞭に示されるように、便座１４の耳部１４Ａの内部に形成されたボア部１４Ｂ内には、ゴム製のボス部材４０が、回転不能とされるべく、凹凸嵌合の態様で、固定される。ボス部材４０のケース１２側への移動は、Ｃリング４８により阻止されるようになっている。しかして、ボス部材４０は、第１シャフト７０上に回転不能に装架されたカム部材１６を受容する。
【００１４】
カム部材１６の機能部１６Ｆは、半径外方向に突出する外向き突起部１６Ｐと、外向き突起部１６Ｐに隣接して円周方向に延材する作用面１６Ｑと、作用面１６Ｑを挟んで外向き突起部１６Ｐと対峙するストッパ部１６Ｓとから構成される。作用面１６Ｑの径は、外向き突起部１６Ｐの近傍は、落ち込んでいるも、ストッパ１６Ｓに向かうに従い、漸増するように形成されている。
【００１５】
図３に示す状態においては、外向き突起部１６Ｐは、ボス部材４０の内向き突起４２と係合している。図３の状態は、便座１４が周知の起立状態のときの第１ダンパー装置Ｄ１の内部構造を示しており、便座１４を下降させて、便座１４を周知のように便器１０上に着座させようとする場合は、便座１４を便器１０方向に付勢することによりなされる。しかして、便座１４を便器１０上に着座させるときには、図３において、まず、カム部材１６が反時計方向に回動して、外向き突起部１６Ｐが、ボス部材４０の内向き突起４２を乗り越え、カム部材１６はボス部材４０から解放される。その後、便座１４は自重で便器１０方向に回動下降するが、内向き突起部４２が、図３の反時計方向に回動する作用面１６Ｑと摺接する。しかして、図３の反時計方向に回動する作用面１６Ｑの径は、内向き突起部４２に近ずくにつれて漸増するので、内向き突起部４２が、図３の反時計方向に回動する作用面１６Ｑと摺接することにより、カム部材１６の回動にブレーキをかける。そして、便座１４の便器１０上への着座の直前に、ボス部材４０の内向き突起４２がストッパ１６Ｓと係合して、ボス部材４０と一体回動する便座１４の便器１０上への着座の際の騒音が防止される。
【００１６】
第２ダンパー装置Ｄ２について略説する。
【００１７】
図２及び図３に明瞭に示されるように、便蓋５０の耳部５０Ａの内部に形成されたボア部５０Ｂ内には、ゴム製のボス部材１４０が、回転不能とされるべく、凹凸嵌合の態様で、固定される。ボス部材１４０の便座１４側への移動は、Ｃリング４６により阻止されるようになっている。ボス部材１４０は、第２シャフト８０上に回転不能に装架されたカム部材１１６を受容する。しかして、ボス部材１４０及びカム部材１１６は、夫々、第１ダンパー装置Ｄ１のボス部材４０及びカム部材１６と同様の構成を備えるので、第２ダンパー装置Ｄ２は、便器１０上に着座している便座１４上に着座すべく下降回動する便蓋５０に適度なブレーキ力を付与する。かくして、ボス部材１４０と一体回動する便蓋５０の便座１４上への着座の際の騒音が防止される。
【００１８】
【発明の効果】
請求項１の発明によれば、「便器と一体的に設けられ且つ半径外方向に突出する外向き突起部及び前記外向き突起部に隣接して円周方向に径が徐変する作用面が形成されたカム部材を便座に固定されたゴムその他弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにしてなる、便座のダンパー装置」を構成したので、当該便座のダンパー装置の構成は、至極簡単となり、且つ、便座の便器に対する起立位置の保持と便座の便器に対する回動時の制動確保の両立が可能となり、実用上、多大な効果を奏する。特に、精度管理はゴム製部材と樹脂製部材（カム部材を樹脂で作製した場合）との間で行われることになるが、これは、ゴム製部材間で行う精度管理よりも容易に出来、製品の製造容易を可能ならしめる。
【００１９】
請求項２の発明によれば、「便器と一体的に設けられ且つ半径外方向に突出する外向き突起部及び前記外向き突起部に隣接して円周方向に径が徐変する作用面が形成されたカム部材を便蓋に固定されたゴムその他弾性体のボス部材の孔部内に回動可能に嵌着し、前記孔部の内周面に突設した内向き突起部が前記外向き突起部と係合することにより前記便蓋の前記便器に対する起立位置を保持せしめ、前記係合解除方向に付勢することにより前記便蓋を前記便器側に傾倒させたとき、前記内向き突起部が回動する前記作用面と摺接することによりブレーキ作用をなすようにしてなる、便蓋のダンパー装置」を構成したので、当該便蓋のダンパー装置の構成は、至極簡単となり、且つ、便蓋の便器に対する起立位置の保持と便蓋の便座に対する回動時の制動確保の両立が可能となり、実用上、多大な効果を奏する。特に、精度管理はゴム製部材と樹脂製部材（カム部材を樹脂で作製した場合）との間で行われることになるが、これは、ゴム製部材間で行う精度管理よりも容易に出来、製品の製造容易を可能ならしめる。
【００２０】
請求項３の発明によれば、「便器と一体的に設けられ且つ半径外方向に突出する外向き突起部及び前記外向き突起部に隣接して円周方向に径が徐変する作用面が形成されたカム部材を、便座に固定されたゴムその他弾性体のボス部材の孔部内及びに回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにすると共に、便蓋に前記ボス部材と同様のボス部材を固定して前記カム部材に対して前記ブレーキ作用と同様の作用を惹起せしめるようにしてなる、便座・便蓋のダンパー装置」を構成したので、当該便座・便蓋のダンパー装置の構成は、至極簡単となり、且つ、便座／便蓋の便器に対する起立位置の保持と便座・便蓋の便器に対する回動時の制動確保の両立が可能となり、実用上、多大な効果を奏する。特に、精度管理はゴム製部材と樹脂製部材（カム部材を樹脂で作製した場合）との間で行われることになるが、これは、ゴム製部材間で行う精度管理よりも容易に出来、製品の製造容易を可能ならしめる。
【図面の簡単な説明】
【図１】本発明にかかるダンパー装置が装着される便器の斜視図である。
【図２】図１のＡ部の断面図である。
【図３】図２のＢ−Ｂ線に沿う断面図である。
【符号の説明】
１０・・・便器
１４・・・便座
１６・・・カム部材
１６Ｐ・・外向き突起部
１６Ｑ・・作用面
４０・・・ボス部材
４２・・・内向き突起部
５０・・・便蓋
【図１】
2004173971.tif 000003
【図２】
2004173971.tif 000004
【図３】
2004173971.tif 000005